(57)【要約】【課題】複数の室内機と、室外機と、前記室内機と前記室外機とが冷媒配管により接続され、冷媒が前記室内機と前記室外機とを循環する冷媒回路とを有するマルチ形空気調和装置において、配線の接続を変更することなく誤配線接続を解消することができるマルチ形空気調和装置を得る。【解決手段】室外機制御手段１４が受信した運転制御情報と、冷媒循環を制御した室内機Ｙの冷媒回路とが一致しないとき、室外機制御手段１５と室内機制御手段１４とが接続された配線１８と、冷媒循環を制御する室内機Ｙの冷媒回路との対応付けを変更することにより、配線１８の接続を変更することなく誤配線接続を解消することができる。【選択図】図１
2007218512.tif 000002
【特許請求の範囲】
【請求項１】
複数の室内機と、室外機と、前記室内機と前記室外機とが冷媒配管により接続され、冷媒が前記室内機と前記室外機とを循環する冷媒回路を備え、前記室内機は、該室内機の運転を制御する室内機制御手段を備え、前記室外機は、複数の室内機の前記室内機制御手段とそれぞれ配線接続され、前記冷媒回路の冷媒循環を制御する室外機制御手段を備えたマルチ形空気調和装置の運転制御方法であって、
前記室内機制御手段が、該室内機の運転制御情報を前記室外機制御手段に送信し、
前記室外機制御手段が、前記運転制御情報を受信した前記配線に対応する前記室内機の冷媒回路の冷媒循環を制御し、
受信した前記室内機の運転制御情報と、冷媒循環を制御した前記室内機の冷媒回路とが一致しないとき、
前記室外機制御手段と前記室内機制御手段とが接続された配線と、冷媒循環を制御する前記室内機の冷媒回路との対応付けを変更し、
受信した前記室内機の運転制御情報と、冷媒循環を制御する前記室内機の冷媒回路とを一致させること特徴とするマルチ形空気調和装置の運転制御方法。
【請求項２】
複数の室内機と、室外機と、前記室内機と前記室外機とが冷媒配管により接続され、冷媒が前記室内機と前記室外機とを循環する冷媒回路とを有するマルチ形空気調和装置において、
前記室内機は、該室内機の運転を制御し、該室内機の運転制御情報を送信する室内機制御手段を備え、
前記室外機は、複数の室内機の前記室内機制御手段とそれぞれ配線接続され、前記室内機制御手段により送信された前記室内機の運転制御情報を受信し、運転制御情報を受信した前記配線に対応する前記室内機の冷媒回路の冷媒循環を制御する室外機制御手段を備え、
前記室外機制御手段は、前記室内機制御手段より受信した前記室内機の運転制御情報と、該室外機制御手段が冷媒循環を制御する該室内機の冷媒回路とが一致しないとき、
前記室内機制御手段と接続された配線と、該室外機制御手段が制御する冷媒回路との対応付けを変更し、
前記室内機制御手段より受信した前記室内機の運転制御情報と、該室外機制御手段が冷媒循環を制御する該室内機の冷媒回路とを一致させることを特徴とするマルチ形空気調和装置。
【請求項３】
前記室外機制御手段は、受信した前記室内機の運転制御情報と、該室外機制御手段が制御する該室内機の冷媒回路とが複数一致しないとき、
前記室内機制御手段と接続される配線と、該室外機制御手段が制御する冷媒回路との対応付けをそれぞれ変更し、
前記室内機制御手段より受信した前記室内機の運転制御情報と、該室外機制御手段が冷媒循環を制御する該室内機の冷媒回路とを一致させることを特徴とする請求項２記載のマルチ形空気調和装置。
【請求項４】
前記室内機は、室内空気と冷媒との間で熱交換を行う熱交換器と、室内空気を吸込み前記熱交換器に送風する送風機と、前記送風機により吸込まれた空気温度を検出する吸込空気温度検出手段と、前記熱交換器の管温度を検出する熱交換器温度検出手段とを備え、
前記室外機制御手段は、前記室内機の前記吸込空気温度検出手段により検出された前記室内機の吸込空気温度の情報と、前記熱交換器温度検出手段により検出された前記室内機の熱交換器の管温度の情報を受信し、前記吸入空気温度と前記熱交換器の管温度との温度差を演算し、演算した前記温度差と前記受信した該室内機の運転制御情報に基づき該室内機が異常か否かを判定し、
前記室内機が異常と判定したとき、前記室内機制御手段より受信した前記室内機の運転制御情報と、該室外機制御手段が冷媒循環を制御する該室内機の冷媒回路とが一致しないものとして、異常と判定した該室内機の室内機制御手段と接続される配線と、該室外機制御手段が制御する冷媒回路との対応付けを変更することを特徴とする請求項２又は３記載のマルチ形空気調和装置。
【請求項５】
前記室外機制御手段は、運転中の前記室内機の前記吸入空気温度と前記熱交換器の管温度との温度差を演算し、演算した温度差が第１の所定の範囲内で有るか否かにより異常運転か否かを判定し、
停止中の前記室内機の前記吸入空気温度と前記熱交換器の管温度との温度差を演算し、演算した温度差が第２の所定の範囲内で有るか否かにより異常状態か否かを判定し、
異常と判定した運転中の前記室内機の室内機制御手段の配線と、異常と判定した停止中の前記室内機の室内機制御手段との配線とを入替えて認識することを特徴とする請求項２〜４の何れかに記載のマルチ形空気調和装置。
【請求項６】
前記室外機制御手段は、複数の前記室内機を異常と判定したとき、異常と判定した運転中の前記室内機と、異常と判定した停止中の前記室内機との組合せのパターンを抽出し、
前記組合せのパターン従い、異常と判定した運転中の前記室内機の室内機制御手段の配線と、異常と判定した停止中の前記室内機の室内機制御手段との配線とを入替えて認識し、配線の認識を入替えた前記室内機の前記吸入空気温度と前記熱交換器の管温度との温度差を演算し、演算された温度差が第１の所定の範囲内で有るか否かにより異常運転か否かを判定し、
異常と判定した場合は、前記組合せのパターンのうちの他の組合せにより、前記配線接続の認識入替えを行うことを特徴とする請求項５記載のマルチ形空気調和装置。
【請求項７】
前記室外機制御手段は、前記組合せのパターンのすべての組合せにより前記配線接続の認識の入替えを行った後、前記室内機の前記吸入空気温度と前記熱交換器の管温度との温度差を演算し、演算された温度差が第１の所定の範囲内で有るか否かにより異常運転か否かを判定し、異常と判定したとき、異常信号を出力することを特徴とする請求項５又は６記載のマルチ形空気調和装置。
【請求項８】
前記室外機制御手段は、運転中の前記室内機の前記吸入空気温度と前記熱交換器の管温度との温度差を演算し、演算された温度差が第１の所定の範囲内で有るか否かにより異常運転か否かを判定し、正常と判定したとき、前記異常判定を終了することを特徴とする請求項５〜７の何れかに記載のマルチ形空気調和装置。
【請求項９】
前記室内機の冷媒回路の冷媒配管は、導電性材質で構成され、前記室内機制御手段及び前記室外機制御手段とそれぞれ配線接続され、
前記室内機制御手段は、該室内機固有の接続確認信号を前記室外機制御手段との間の配線接続を介し送信すると共に、該室内機の冷媒回路の冷媒配管を介し、前記室外機制御手段に送信し、
前記室外機制御手段は、前記室内機制御手段との間の配線を介し受信した前記接続確認信号（Ｓｉｇ１）と、前記冷媒回路の冷媒配管を介し受信した前記接続確認信号（Ｓｉｇ２）とが異なるとき、
前記室内機制御手段との間の配線を介し前記接続確認信号（Ｓｉｇ１）を受信した配線に対応する前記室内機の認識を、前記冷媒回路の冷媒配管を介し前記接続確認信号（Ｓｉｇ２）を受信した前記室内機と一致させることを特徴とする請求項２又は３記載のマルチ形空気調和装置。
【請求項１０】
請求項２〜９の何れかに記載のマルチ形空気調和装置を備え、冷凍運転することを特徴とする冷凍装置。
【発明の詳細な説明】
【技術分野】
【０００１】
本発明は、室外機と複数の室内機とが冷媒配管で接続され冷媒を循環させて空調運転を行うマルチ形空気調和装置の運転制御方法及びマルチ形空気調和装置並びに冷凍装置に関し、特に、配線の誤配線接続を検知及び接続修正に関する。
【背景技術】
【０００２】
従来のマルチ形空気調和装置及び冷凍装置は、例えば「圧縮機（１）と、この圧縮機（１）の吐出側又は吸込側の一方に接続される室外熱交換器（７）とを内装すると共に、上記室外熱交換器（７）に一端が接続された液管（１１）の他端を、それぞれ開閉弁（２３）の介設された複数の液支管（１７−１〜１７−４）に、また上記圧縮機（１）の吐出側又は吸込側の他方に一端が接続されるガス管（６）の他端を複数のガス支管（１９−１〜１９−４）にそれぞれ分岐して構成した室外ユニット（Ｘ）の上記液支管（１７−１〜１７−４）とガス支管（１９−１〜１９−４）との間に、複数の室内ユニット（Ａ〜Ｄ）の各室内熱交換器（２２）をそれぞれ接続してなるマルチ形空気調和機であって、上記圧縮機（１）からの吐出冷媒を上記室外熱交換器（７）と室内熱交換器（２２）とに回流させる冷媒循環サイクル時の上記各室内熱交換器（２２）及び各ガス支管（１９−１〜１９−４）の温度変化をそれぞれ検出する熱交換器温度検出手段（３１）とガス支管温度検出手段（３２）とを設けると共に、上記各開閉弁（２３）のいずれか一つを開弁して行う試運転時の冷媒運転サイクルにおける上記各温度検出手段（３１）、（３２）の検出信号に基づいて上記各液支管（１７−１〜１７−４）及びガス支管（１９−１〜１９−４）がどの室内ユニット（Ａ〜Ｄ）に接続されているかを判定する信号処理手段（４５）を設け、上記試運転時の信号処理手段（４５）の判定結果を記憶する記憶手段（４６）を設け、この記憶手段（４６）のデータによって通常運転する運転制御手段（４７）を設けたことを特徴とするマルチ形空気調和機。」が提案されている（例えば、特許文献１参照）。
【０００３】
また、「圧縮機（２），室外熱交換器（４）を有する室外ユニット（１）に、室内熱交温度センサ（１１）が設けられた室内熱交換器（１０）とファンと室温センサ（１２）を有する複数の室内ユニット（９ａ〜９ｄ）を、各室用膨張弁（７ａ〜７ｄ）を介して並列に接続してなる空気調和機の凍結防止装置（２０）において、上記各室内ユニット（９ａ〜９ｄ）からの運転信号によって、運転されている室の数（ｍ）が１か２以上かを判断する運転室数判断手段（Ｓ１，Ｓ２）と、この運転室数判断手段（Ｓ１，Ｓ２）が運転されている室の数（ｍ）が１と判断したとき、運転されている室の室温センサ（１２）と室内熱交温度センサ（１１）の検出信号に基づき、圧縮機起動から所定時間（ｔ１）経過後に両検出信号の表わす温度差（Ｄａ−Ｄｃ）が一定値（α）以下か否かを判断し、肯と判断した室の番号を運転異常室として判断して記憶する運転異常判断手段（Ｓ４，Ｓ５）と、上記運転室数判断手段（Ｓ１，Ｓ２）が運転されている室の数（ｍ）が１と判断したとき、運転信号のない運転されていない室の室温センサ（１２）と室内熱交温度センサ（１１）の検出信号に基づき、圧縮機起動から所定時間（ｔ１）経過後に両検出信号の表わす温度差（Ｄａ−Ｄｃ）が一定値（β）以上か否かを判断し、肯と判断した室の番号を停止異常室として判断して記憶するとともに、上記停止異常室の室数を累計する第１停止異常判断手段（Ｓ６，Ｓ７）と、上記第１停止異常判断手段（Ｓ６，Ｓ７）が累計した室数が１のとき、１つの運転異常室と１つの停止異常室の各室用膨張弁（７）を全閉させる第１運転停止手段（Ｓ９）を備えたことを特徴とする空気調和機の凍結防止装置。」が提案されている（例えば、特許文献２参照）。
【０００４】
【特許文献１】特許第２０４３６６０号公報（請求項１、第１図）
【特許文献２】特許第３１５２００６号公報（請求項１、第１図）
【発明の開示】
【発明が解決しようとする課題】
【０００５】
従来のマルチ形空気調和装置及び冷凍装置は、誤配線接続、誤配管接続、膨張弁閉鎖不良等をチェックする際、室内機を１台ずつ運転し、他の室内機と比較して一番低い熱交換器温度、ガス支管温度を検出して液支管、ガス支管、室内機の接続の組合せを検出ため、誤配線接続の組合せが２組以上ある場合は、誤配線接続、誤配管接続、膨張弁閉鎖不良等が発生している室内機を特定することができない、という問題点があった。
【０００６】
また、室内機を１台ずつ運転し、室内熱交換器とガス支管の冷媒温度情報と、他の室内機の温度情報とを比較して接続の組合せを検出するので、各室内機の室温差が大きい場合は、間違った組合せを検出する可能性がある、という問題点があった。
【０００７】
また、室内機を１台ずつ運転し、全室内機で順番に誤配線接続の判定を行う必要があるため、誤配線接続の判定に時間がかかる、という問題点があった。
【０００８】
この発明は、上記のような問題点を解消するためになされたもので、マルチ形空気調和装置或いは冷凍装置の施工工事において誤った配線接続を行った場合に、運転室内機が複数台ある冷房、暖房、除湿運転時に誤配線を検出し、再配線工事無しで誤配線状態を解消するものである。
【課題を解決するための手段】
【０００９】
この発明に係るマルチ形空気調和装置及び冷凍装置においては、複数の室内機と、室外機と、室内機と室外機とが冷媒配管により接続され、冷媒が室内機と室外機とを循環する冷媒回路を備え、室内機は、当該室内機の運転を制御する室内機制御手段を備え、室外機は、複数の室内機の室内機制御手段とそれぞれ配線接続され、冷媒回路の冷媒循環を制御する室外機制御手段を備え、室内機制御手段が、当該室内機の運転制御情報を室外機制御手段に送信し、室外機制御手段が、運転制御情報を受信した配線に対応する室内機の冷媒回路の冷媒循環を制御し、受信した前記室内機の運転制御情報と、冷媒循環を制御した室内機の冷媒回路とが一致しないとき、室外機制御手段と室内機制御手段とが接続された配線と、冷媒循環を制御する室内機の冷媒回路との対応付けを変更し、受信した室内機の運転制御情報と、冷媒循環を制御する室内機の冷媒回路とを一致させるものである。
【発明の効果】
【００１０】
この発明は、室外機制御手段が受信した運転制御情報と、冷媒循環を制御した室内機の冷媒回路とが一致しないとき、室外機制御手段と室内機制御手段とが接続された配線と、冷媒循環を制御する室内機の冷媒回路との対応付けを変更することにより、配線の接続を変更することなく誤配線接続を解消することができる。また、複数の誤配線接続が存在する場合においても誤配線接続を解消することができる。
【発明を実施するための最良の形態】
【００１１】
実施の形態１．
図１は本発明の実施の形態１におけるマルチ形空気調和装置の構成を示す図である。図２は本発明の実施の形態１における室内機の構成を示す図である。図において、本実施の形態１におけるマルチ形空気調和装置は、冷媒を圧縮する圧縮機１、冷媒の流通方向を切り換える四方弁２、外気と冷媒との間で熱交換を行う熱交換器である室外熱交換器３、室外熱交換器３に送風する送風機である室外ファン４、室外ファン４を回転駆動する室外ファンモータ５、冷媒を減圧する膨張弁６、室内空気と冷媒との間で熱交換を行う熱交換器である室内熱交換器７、室内熱交換器７に送風する送風機である室内ファン８、室内ファン８を回転駆動する室内ファンモータ９、運転時に余剰の冷媒を収容する液溜１０、冷媒配管である液配管１１及びガス配管１２、室内機の運転操作を入力するリモコン１３、室外機を制御する室外機制御手段１４、室内機を制御する室内機制御手段１５、室内ファン８により送風される空気温度を検出する吸込空気温度検出手段１６、室内熱交換器７の管温度Ｔ１７を検出する熱交換器温度検出手段１７で構成されている。また、室内機Ｙは複数台配置され、それぞれ室外機Ｘと液配管１１とガス配管１２とにより接続され冷媒が循環する冷媒回路を構成している。尚、小文字のアルファベットは室内機名を示す。さらに、室外機Ｘと各室内機Ｙは、室外機制御手段１４と室内機制御手段１５とを接続する配線１８、膨張弁６と室外機制御手段１４とを接続する配線１９、圧縮機１と室外機制御手段１４とを接続する配線２０、室外ファンモータ５と室外機制御手段１４とを接続する配線２１、四方弁２と室外機制御手段１４とを接続する配線２２、リモコン１３と室内機制御手段１５とを接続する配線２３、室内ファンモータ９と室内機制御手段１５とを接続する配線２４、熱交換器温度検出手段１７と室内機制御手段１５とを接続する配線２５、吸込空気温度検出手段１６と室内機制御手段１５とを接続する配線２６により配線接続されている。尚、リモコン１３と室内機制御手段１５とを接続する配線２３に換え、無線で信号を通信しても良い。
このような構成により、冷房運転又は暖房運転する場合の動作を次に説明する。
【００１２】
冷房運転するときの冷媒動作を室内機Ｙａ及びＹｂが運転する場合で説明する。膨張弁６ａ、６ｂは所定開度になるように開き、膨張弁６ｃ、６ｄは全閉とする。圧縮機１を吐出した高圧高温ガス冷媒は四方弁２を介して室外ファン４により送風されている室外熱交換器３に流入し、ここで周囲空気と熱交換して凝縮し、高圧液冷媒として流出する。流出した高圧液冷媒は分岐して膨張弁６ａ、６ｂに流入し、減圧されて低圧気液二相冷媒となり、液配管１１ａ、１１ｂを介して室内ファン８ａ、８ｂにより強制送風されている室内熱交換器７ａ、７ｂに流入し、ここで周囲空気と熱交換して蒸発し、低圧ガス冷媒として流出する。流出した低圧ガス冷媒はガス配管１２ａ、１２ｂを介した後合流し、四方弁２、液溜１０を介して圧縮機１に戻る。尚、停止中の室内機Ｙｃ，Ｙｄの室内ファン８ｃ、８ｄは停止状態である。  
【００１３】
暖房運転するときの冷媒動作を室内機Ｙａ及びＹｂが運転する場合で説明する。膨張弁６ａ、６ｂは所定開度になるように開き、膨張弁６ｃ、６ｄは全閉とする。圧縮機１を吐出した高圧高温ガス冷媒は四方弁２を介した後分岐し、ガス配管１２ａ、１２ｂを介して室内ファン８ａ、８ｂにより強制送風されている室内熱交換器７ａ、７ｂに流入し、ここで周囲空気と熱交換して凝縮し、高圧液冷媒として流出する。流出した高圧液冷媒は液配管１１ａ、１１ｂを介して膨張弁６ａ、６ｂに流入し、減圧されて低圧気液二相冷媒となった後合流して室外熱交換器３に流入し、ここで周囲空気と熱交換して蒸発し、低圧ガス冷媒として流出する。流出した低圧ガス冷媒は四方弁２、液溜１０を介して圧縮機１に戻る。尚、停止中の室内機Ｙｃ，Ｙｄの室内ファン８ｃ、８ｄは停止状態である。
次に異常検知及び配線の誤配線接続の自動修正の動作について図３〜図１０により説明する。
【００１４】
図３は、本発明の実施の形態１における異常検知制御手順を示す図、図４〜図８は本発明の実施の形態１における異常検知制御の詳細手順を示す図、図９は本発明の実施の形態１における誤配線接続のある冷媒回路を示す図である。
室内機Ｙの室内機制御手段１５と室外機Ｘの室外機制御手段１４との配線に誤配線接続がある場合、誤配線接続の組合せを抽出して修正する動作、及び室内機Ｙの運転に異常がある場合の動作について、場合分けし以下に説明する。
【００１５】
（ケース１）
図１において各配線は正しく接続され、他の異常もなく、室内機Ｙａは正常に冷房運転し、室内機ＹｃとＹｄは停止状態とする。この状態で室内機Ｙｂの運転を開始するときの制御手順を図３にもとづいて説明する。
【００１６】
室内機Ｙｂのリモコン１３ｂにより冷房モードを選択し運転開始操作を行ったとき、室内機Ｙｂの室内機制御手段１５ｂは室内機起動運転（Ｓ１）を開始する。手順Ｓ１の詳細手順を図４に示す。リモコン１３ｂの運転ボタンが押されると、室内機制御手段１５ｂは配線２３ｂを介して冷房運転指令を受信する（Ｓ１１）。尚、配線２３ｂは有線又は無線のどちらでも良い。室内機制御手段１５ｂは配線２４ｂを介して室内ファンモータ９ｂを所定回転数で運転させる（Ｓ１２）とともに、配線１８ｂを介して室外機制御手段１４に運転制御情報である運転指令を送信し、室内機Ｙｂが冷房運転を開始したことを伝達する（Ｓ１３）。室外機制御手段１４は運転指令を受信し、室内機Ｙｂが運転を開始したことを認識し、圧縮機１の運転周波数、室外ファンモータ５の回転数、四方弁２の流路を適正状態になるように調整し、膨張弁６ｂを所定開度開ける（Ｓ１４）。室外機制御手段１４は室内機Ｙｂが運転状態であることを記憶する（Ｓ１５）。
【００１７】
次に所定時間が経過したか否かを判定し（Ｓ２）、所定時間が経過したとき、運転状態である室内機（以下、運転室内機という）Ｙｂの異常判定を行なう（Ｓ３）。運転室内機Ｙｂの異常判定（Ｓ３）の詳細手順を図５に示す。室内機制御手段１５ｂは、吸込空気温度検出手段１６ｂにより、吸込空気温度Ｔ１６ｂを配線２５ｂを介して検出し、熱交換器温度検出手段１７ｂにより、室内熱交換器７ｂの管温度Ｔ１７ｂを配線２６ｂを介して検出する（Ｓ３１）。検出した吸込空気温度Ｔ１６ｂ及び室内熱交換器７ｂの管温度Ｔ１７ｂの温度データは、配線１８ｂを介して室外機制御手段１４に送信する（Ｓ３２）。室外機制御手段１４は、受信した吸込空気温度Ｔ１６ｂ及び室内熱交換器７ｂの管温度Ｔ１７ｂの温度データの温度差ΔＴｂを演算する。冷房運転時の演算式はΔＴｂ＝Ｔ１６ｂ−Ｔ１７ｂ、暖房運転時の演算式はΔＴｂ＝Ｔ１７ｂ−Ｔ１６ｂとする（Ｓ３３）。演算した温度差ΔＴｂと第１の所定の範囲内である所定値αとを比較し（Ｓ３４）、所定値αより大きければ正常（Ｓ３５）、小さければ異常（Ｓ３６）と判定する。
【００１８】
ここで、本ケース１は、配線の接続は正常であり、且つ、他の異常もないので、室内熱交換器７ｂに連通する膨張弁６ｂは所定開度開いており、室内ファン８ｂにより送風されている室内熱交換器７ｂに冷媒が流通し、熱交換され蒸発し、室内熱交換器７ｂの管温度Ｔ１７ｂは吸込空気温度Ｔ１６ｂに対して所定温度以上に低下し、温度差ΔＴｂは所定値αより大きくなる。よって手順Ｓ３４で正常と判定され異常検出制御を終了する。
【００１９】
（ケース２）
図９に示すように、配線１８ｂは一端を室内機Ｙｂの室内機制御手段１５ｂに、他端を室外機制御手段１４の室内機Ｙｄ用接続口に接続され、配線１８ｄは一端を室内機Ｙｄの室内機制御手段１５ｄに、他端を室外機制御手段１４の室内機Ｙｂ用接続口に接続された状態とする。また、室内機Ｙｃに連通する膨張弁６ｃは異物を噛み込んだ状態で、全閉指令が出ても全閉できない状態とする。室内機Ｙａは正常に冷房運転し、室内機ＹｃとＹｄは停止状態とする。この状態で室内機Ｙｂの運転を開始するときの制御手順を図３にもとづいて説明する。
【００２０】
室内機Ｙｂのリモコン１３ｂにより冷房モードを選択し運転開始操作を行ったとき、室内機Ｙｂの室内機制御手段１５ｂは室内機起動運転（Ｓ１）を開始する。手順Ｓ１の詳細手順を図４に示す。リモコン１３ｂの運転ボタンが押されると、室内機制御手段１５ｂは配線２３ｂを介して冷房運転指令を受信する（Ｓ１１）。室内機制御手段１５ｂは配線２４ｂを介して室内ファンモータ９ｂを所定回転数で運転させる（Ｓ１２）とともに、配線１８ｂを介して室外機制御手段１４に運転指令を送信し、室内機Ｙｂが冷房運転を開始したことを伝達する（Ｓ１３）。ここで、誤配線接続により配線１８ｂは室外機制御手段１４の室内機Ｙｄ用接続口に接続されているので、室外機制御手段１４は室内機Ｙｄが運転を開始したと認識し、圧縮機１の運転周波数、室外ファンモータ５の回転数、四方弁２の流路を適正状態になるように調整し、膨張弁６ｄを所定開度開け、膨張弁６ｂは全閉のままとする（Ｓ１４）。室外機制御手段１４は室内機Ｙｄが運転状態であることを記憶する（Ｓ１５）。
【００２１】
次に所定時間が経過したか否かを判定し（Ｓ２）、所定時間が経過したとき、室外機制御手段１４が運転状態と認識している室内機Ｙｄの異常判定を行なう（Ｓ３）。室外機制御手段１４の室内機Ｙｄ用の配線接続口には配線１８ｂが接続されているので、室内機Ｙｂの吸込空気温度Ｔ１６ｂ、室内熱交換器７ｂの管温度Ｔ１７ｂが室外機制御手段１４に送信され（Ｓ３２）、この２つの温度データから温度差ΔＴｄを演算する。
【００２２】
このとき、室内ファン８ｂにより送風されている室内熱交換器７ｂに連通する膨張弁６ｂは全閉状態なので室内熱交換器７ｂに冷媒が流通しないため、室内熱交換器７ｂ内の滞留冷媒はすぐに蒸発して室内熱交換器７ｂの管温度Ｔ１７ｂは吸込空気温度Ｔ１６ｂとほぼ同等温度になる。よって温度差ΔＴｄは所定値αより小さい値となり、手順Ｓ３４で異常と判定する。このとき室外機制御手段１４は異常運転室内機として室内機Ｙｄを記憶する。
【００２３】
次に停止状態の室内機（以下、停止室内機という）Ｙｂ，Ｙｃの異常判定を行う（Ｓ４）。手順Ｓ４の詳細手順を図５に示す。まず、室外機制御手段１４は、停止室内機の室内機（Ｙｂ，Ｙｃ）と室数（ｎ＝２）を抽出し、各室内機に室番号を付ける（Ｓ４１）。ここでは、Ｙｂを１、Ｙｃを２とする。
【００２４】
停止室内機の室内機制御手段１５ｉ（ｉは室番号に対する室内機名を示す）は、吸込空気温度検出手段１６ｉにより、吸込空気温度Ｔ１６ｉを配線２５ｉを介して検出し、熱交換器温度検出手段１７ｉにより、室内熱交換器７ｉの管温度Ｔ１７ｉを配線２６ｉを介して検出する（Ｓ４２）。検出した温度データＴ１６ｉとＴ１７ｉは配線１８ｉを介して室外機制御手段１４に送信する（Ｓ４３）。室外機制御手段１４は受信した２つの温度データの差ΔＴｉを演算する。冷房運転時の演算式はΔＴｉ＝Ｔ１６ｉ−Ｔ１７ｉ，暖房運転時の演算式はΔＴｉ＝Ｔ１７ｉ−Ｔ１６ｉとする（Ｓ４４）。演算した温度差ΔＴｉと第２の所定の範囲内である所定値βとを比較し（Ｓ４５）、所定値βより小さければ正常（Ｓ４６）、大きければ異常（Ｓ４７）と判定し、異常の場合、室外機制御手段１４は異常室内機の室番号を記憶する（Ｓ４８）。以上、手順Ｓ４２〜Ｓ４８までの手順を全停止室内機で実施する（Ｓ４９）。
【００２５】
ここで、誤配線接続により、室外機制御手段１４における室内機Ｙｂ用の配線接続口には配線１８ｄが接続されているので、室内機Ｙｄの吸込空気温度Ｔ１６ｄ、室内熱交換器７ｄの管温度Ｔ１７ｄが室外機制御手段１４に送信され、この２つの温度データから温度差ΔＴｂを演算することになる。室内ファン８ｄが停止している室内熱交換器７ｄに連通する膨張弁６ｄは所定開度開いているので冷媒が流れ、冷媒温度が大きく低下するため温度差ΔＴｂは所定値βより大きい値となり、手順Ｓ４５で異常（Ｓ４７）と判定され、異常室内機として室番号１、即ち室内機Ｙｂを記憶する。
一方、室内ファン８ｃが停止している室内熱交換器７ｃに連通する膨張弁６ｃは異物噛みのため、全閉状態に制御されているにも拘らず冷媒が漏れて流れ、室内熱交換器７ｃを流れる冷媒温度は大きく低下するため温度差ΔＴｃは所定値βより大きい値となり、手順Ｓ４５で異常と判定され、異常室内機として室番号２、即ち室内機Ｙｃを記憶する。
【００２６】
次に、室外機制御手段１４は、異常停止室内機の台数が１台以上あるか否かを判断し（Ｓ５）、異常停止室内機が１台以上のとき、配線認識入替パターン抽出（Ｓ６）を実施する。手順Ｓ６の詳細手順を図７に示す。室外機制御手段１４が記憶している異常運転室内機の室内機Ｙｄと異常停止室内機の室内機Ｙｂ、Ｙｃを抽出し（Ｓ６１）、運転室内機と停止室内機の全組合せパターンを抽出する。ここでは室内機Ｙｄと室内機Ｙｂ、室内機Ｙｄと室内機Ｙｃの２組あり、前者を１、後者を２と番号を付ける（Ｓ６２）。
【００２７】
次に、組合せパターンの番号順に室外機制御手段１４における配線認識を入替える（Ｓ７）。手順Ｓ７の詳細手順を図８に示す。組合せ番号１の室内機Ｙｄと室内機Ｙｂの配線認識入替について説明する。まず、室外機制御手段１４は、室外機制御手段１４の配線接続口ｄに接続されている配線の先には室内機Ｙｂが接続されているものと認識し、配線接続口ｂに接続されている配線の先には室内機Ｙｄが接続されているものと認識する（Ｓ７１）。次に、室外機制御手段１４は、配線認識の入替えを行った配線接続口への室内機の運転指令の有無を確認し、運転指令が有る場合は当該室内機の膨張弁６を所定開度開け、運転指令がない場合は当該室内機の膨張弁６を全閉にする。ここで、配線接続口ｄに接続されている配線１８ｂから室内機Ｙｂの運転指令が来ているので、膨張弁６ｂを所定開度開け、配線接続口ｂに接続されている配線からは運転指令が来ていないので、膨張弁６ｄを全閉にする制御を行う（Ｓ７２）。
【００２８】
次に所定時間が経過したとき（Ｓ８）、室外機制御手段１４の配線接続口ｄに接続され、運転指令を送信していると認識した室内機Ｙｂの異常再判定を行なう（Ｓ９）。手順Ｓ９の詳細手順を図５に示す。室外機制御手段１４の配線接続口ｄには配線１８ｂが接続され、その先には室内機Ｙｂが接続されている。よって、室内機制御手段１５ｂは、吸込空気温度検出手段１６ｂにより、吸込空気温度Ｔ１６ｂを配線２５ｂを介して検出し、熱交換器温度検出手段１７ｂにより、室内熱交換器７ｂの管温度Ｔ１７ｂを配線２６ｂを介して検出し（Ｓ３１）、検出した吸込空気温度Ｔ１６ｂ及び室内熱交換器７ｂの管温度Ｔ１７ｂの温度データを、配線１８ｂを介して室外機制御手段１４の配線接続口ｄに送信する。室外機制御手段１４は、これらの受信信号は室内機Ｙｂから送信されたものであると認識する（Ｓ３２）。受信した吸込空気温度Ｔ１６ｂ及び室内熱交換器７ｂの管温度Ｔ１７ｂの温度データの温度差ΔＴｂを演算する。冷房運転時の演算式はΔＴｂ＝Ｔ１６ｂ−Ｔ１７ｂ、暖房運転時の演算式はＴ１７ｂ−Ｔ１６ｂとする（Ｓ３３）。演算した温度差ΔＴｂと所定値αとを比較し（Ｓ３４）、所定値αより大きければ正常（Ｓ３５）、小さければ異常（Ｓ３６）と判定する。
【００２９】
このとき、室内ファン８ｂにより送風されている室内熱交換器７ｂに連通する膨張弁６ｂは所定開度開いており、室内熱交換器７ｂに冷媒が流通し、熱交換され蒸発し、室内熱交換器７ｂの管温度Ｔ１７ｂは吸込空気温度Ｔ１６ｂに対して所定温度以上に低下する。よってこの場合、手順Ｓ３４で正常と判定され、異常検出制御を終了する（Ｓ１０）。また、室内ファン８ｄが停止している室内熱交換器７ｄに連通する膨張弁６ｄは全閉となるので、室内熱交換器７ｄでは熱交換されず室内熱交換器７ｄの管温度Ｔ１７ｄは吸込空気温度Ｔ１６ｄとほぼ同一になる。仮に停止室内機の異常判定（Ｓ４）を実施しても正常と判定する。
【００３０】
（ケース３）
上記（ケース２）の手順Ｓ６の配線認識入替パターン抽出において組合せパターンの番号付けが逆の場合の動作について説明する。室内機Ｙａは正常に冷房運転し、室内機ＹｃとＹｄは停止状態とする。この状態で室内機Ｙｂの運転を開始するときの制御手順を図３にもとづいて説明する。
【００３１】
室内機Ｙｂのリモコン１３ｂにより冷房モードを選択し運転開始操作を行った後、手順Ｓ１〜Ｓ５までの動作は上記（ケース２）と同様である。図７に示す配線認識入替パターン抽出（Ｓ６）の詳細手順において、室外機制御手段１４が記憶している異常運転室内機の室内機Ｙｄと異常停止室内機の室内機Ｙｂ、Ｙｃを抽出し（Ｓ６１）、運転室内機と停止室内機の全組合せパターンを抽出する。ここでは室内機Ｙｄと室内機Ｙｃ、室内機Ｙｄと室内機Ｙｂの２組あり、前者を１、後者を２と番号を付ける（Ｓ６２）。
【００３２】
次に、組合せパターンの番号順に室外機制御手段１４における配線認識を入替える（Ｓ７）。組合せ番号１の室内機Ｙｄと室内機Ｙｃの配線認識入替（Ｓ７）について図８により説明する。まず、室外機制御手段１４は、室外機制御手段１４の配線接続口ｄに接続されている配線の先には室内機Ｙｃが接続されているものと認識し、配線接続口ｃに接続されている配線の先には室内機Ｙｄが接続されているものと認識する（Ｓ７１）。次に、室外機制御手段１４は、配線認識の入替えを行った配線接続口への室内機の運転指令の有無を確認し、運転指令が有る場合は当該室内機の膨張弁６を所定開度開け、運転指令がない場合は当該室内機の膨張弁６を全閉にする。ここで、配線接続口ｄに接続されている配線１８ｂから運転指令が来ているので、膨張弁６ｃを所定開度開け、配線接続口ｃに接続されている配線１８ｃからは運転指令が来ていないので、膨張弁６ｄを全閉にする制御を行う（Ｓ７２）。
【００３３】
次に所定時間が経過したとき（Ｓ８）、室外機制御手段１４の配線接続口ｄに接続され、運転指令を送信していると認識した室内機Ｙｃの異常再判定を行なう（Ｓ９）。手順Ｓ９の詳細手順を図５に示す。室外機制御手段１４の配線接続口ｄには配線１８ｂが接続され、その先には室内機Ｙｂが接続されている。よって、室内機制御手段１５ｂは、吸込空気温度検出手段１６ｂにより、吸込空気温度Ｔ１６ｂを配線２５ｂを介して検出し、熱交換器温度検出手段１７ｂにより、室内熱交換器７ｂの管温度Ｔ１７ｂを配線２６ｂを介して検出し（Ｓ３１）、検出した吸込空気温度Ｔ１６ｂ及び室内熱交換器７ｂの管温度Ｔ１７ｂの温度データを、配線１８ｂを介して室外機制御手段１４の配線接続口ｄに送信する。室外機制御手段１４は、これらの受信信号は室内機Ｙｃから送信されたものであると認識する（Ｓ３２）。受信した吸込空気温度Ｔ１６ｂ及び室内熱交換器７ｂの管温度Ｔ１７ｂの温度データを、室内機Ｙｃの温度データと認識し、温度差ΔＴｃを演算する。冷房運転時の演算式はΔＴｃ＝Ｔ１６ｂ−Ｔ１７ｂ、暖房運転時の演算式はΔＴｃ＝Ｔ１７ｂ−Ｔ１６ｂとなる（Ｓ３３）。演算した温度差ΔＴｃと所定値αとを比較し（Ｓ３４）、所定値αより大きければ正常（Ｓ３５）、小さければ異常（Ｓ３６）と判定する。
【００３４】
このとき、室内ファン８ｂにより送風されている室内熱交換器７ｂに連通する膨張弁６ｂは全閉状態なので室内熱交換器７ｂに冷媒が流通しないため、室内熱交換器７ｂ内の滞留冷媒はすぐに蒸発して室内熱交換器７ｂの管温度Ｔ１７ｂは吸込空気温度Ｔ１６ｂとほぼ同等温度になる。よって温度差ΔＴｃは所定値αより小さい値となり、手順Ｓ３４で異常と判断する。
【００３５】
手順Ｓ９で異常と判定した場合、運転室内機Ｙｄと停止室内機Ｙｃの配線認識の入替えの組み合わせが適正ではなかったと判断し、別の室内機の組合せで配線認識の入替えを行うため図３の制御手順Ｓ７に戻る（Ｓ１０）。組合せ番号２は室内機Ｙｄと室内機Ｙｂであり、上述した（ケース２）の手順Ｓ７〜Ｓ１０と同様の動作により、配線認識の入替えを行い正常と判定され、異常検出制御を終了する（Ｓ１０）。
【００３６】
（ケース４）
次に、誤配線接続以外の異常に対しては誤配線接続以外の異常が発生していることを報知することを例をあげて説明する。膨張弁６ｂが故障で開かなくなり、膨張弁６ｃ、６ｄが異物を噛みこんで全閉できなくなった状態であり、誤配線接続はない状態とする。室内機Ｙａは正常に冷房運転し、室内機ＹｃとＹｄは停止状態とする。この状態で室内機Ｙｂの運転を開始するときの制御手順を図３にもとづいて説明する。
【００３７】
室内機Ｙｂのリモコン１３ｂにより冷房モードを選択し運転開始操作を行ったとき、室内機Ｙｂの室内機制御手段１５ｂは室内機起動運転（Ｓ１）を開始する。手順Ｓ１の詳細手順を図４に示す。リモコン１３ｂの運転ボタンが押されると、室内機制御手段１５ｂは配線２３ｂを介して冷房運転指令を受信する（Ｓ１１）。室内機制御手段１５ｂは配線２４ｂを介して室内ファンモータ９ｂを所定回転数で運転させる（Ｓ１２）とともに、配線１８ｂを介して室外機制御手段１４に運転指令を送信し、室内機Ｙｂが冷房運転を開始したことを伝達する（Ｓ１３）。室外機制御手段１４は運転指令を受信し、室内機Ｙｂが運転を開始したことを認識し、圧縮機１の運転周波数、室外ファンモータ５の回転数、四方弁２の流路を適正状態になるように調整し、膨張弁６ｂを所定開度開けようとするが故障しているため、膨張弁６ｂは全閉のままとなる（Ｓ１４）。室外機制御手段１４は室内機Ｙｂが運転状態であることを記憶する（Ｓ１５）。
【００３８】
次に所定時間が経過したとき（Ｓ２）、運転室内機Ｙｂの異常判定を行なう（Ｓ３）。運転室内機Ｙｂの異常判定（Ｓ３）の詳細手順を図５に示す。室内機制御手段１５ｂは、吸込空気温度検出手段１６ｂにより、吸込空気温度Ｔ１６ｂを配線２５ｂを介して検出し、熱交換器温度検出手段１７ｂにより、室内熱交換器７ｂの管温度Ｔ１７ｂを配線２６ｂを介して検出する（Ｓ３１）。検出した吸込空気温度Ｔ１６ｂ及び室内熱交換器７ｂの管温度Ｔ１７ｂの温度データは、配線１８ｂを介して室外機制御手段１４に送信する（Ｓ３２）。室外機制御手段１４は、受信した吸込空気温度Ｔ１６ｂ及び室内熱交換器７ｂの管温度Ｔ１７ｂの温度データの温度差ΔＴｂを演算する。冷房運転時の演算式はΔＴｂ＝Ｔ１６ｂ−Ｔ１７ｂ、暖房運転時の演算式はΔＴｂ＝Ｔ１７ｂ−Ｔ１６ｂとする（Ｓ３３）。演算した温度差ΔＴｂと所定値αとを比較し（Ｓ３４）、所定値αより大きければ正常（Ｓ３５）、小さければ異常（Ｓ３６）と判定する。
【００３９】
このとき、室内ファン８ｂにより送風されている室内熱交換器７ｂに連通する膨張弁６ｂは故障により全閉状態なので室内熱交換器７ｂに冷媒が流通しないため、室内熱交換器７ｂ内の滞留冷媒はすぐに蒸発して室内熱交換器７ｂの管温度Ｔ１７ｂは吸込空気温度Ｔ１６ｂとほぼ同等温度になる。よって温度差ΔＴｂは所定値αより小さい値となり、手順Ｓ３４で異常と判定する。このとき室外機制御手段１４は異常運転室内機として室内機Ｙｂを記憶する。
【００４０】
次に停止室内機Ｙｂ，Ｙｃの異常判定を行う（Ｓ４）。手順Ｓ４の詳細手順を図５に示す。まず、室外機制御手段１４は、停止室内機の室内機（Ｙｂ，Ｙｃ）と室数（ｎ＝２）を抽出し、各室内機に室番号を付ける（Ｓ４１）。ここでは、Ｙｂを１、Ｙｃを２とする。
【００４１】
停止室内機の室内機制御手段１５ｉ（ｉは室番号に対する室内機名を示す）は、吸込空気温度検出手段１６ｉにより、吸込空気温度Ｔ１６ｉを配線２５ｉを介して検出し、熱交換器温度検出手段１７ｉにより、室内熱交換器７ｉの管温度Ｔ１７ｉを配線２６ｉを介して検出する（Ｓ４２）。検出した温度データＴ１６ｉとＴ１７ｉは配線１８ｉを介して室外機制御手段１４に送信する（Ｓ４３）。室外機制御手段１４は受信した２つの温度データの差ΔＴｉを演算する。冷房運転時の演算式はΔＴｉ＝Ｔ１６ｉ−Ｔ１７ｉ，暖房運転時の演算式はΔＴｉ＝Ｔ１７ｉ−Ｔ１６ｉとする（Ｓ４４）。演算した温度差ΔＴｉと第２の所定の範囲内である所定値βとを比較し（Ｓ４５）、所定値βより小さければ正常（Ｓ４６）、大きければ異常（Ｓ４７）と判定し、異常の場合、室外機制御手段１４は異常室内機の室番号を記憶する（Ｓ４８）。以上、手順Ｓ４２〜Ｓ４８までの手順を全停止室内機で実施する（Ｓ４９）。
【００４２】
このとき、室内ファン８ｃが停止している室内熱交換器７ｃに連通する膨張弁６ｃは異物噛み込みにより全閉指令が発信されているにも関わらず開いているので冷媒が流れ、室内熱交換器７ｃの管温度Ｔ１７ｃが大きく低下するため温度差ΔＴｃは所定値βより大きい値となり、手順Ｓ４５で異常と判定され、異常室内機として室内機Ｙｃを記憶する。同様に室内ファン８ｄが停止している室内熱交換器７ｄに連通する膨張弁６ｄは異物噛み込みのため、全閉指令が発信されているにも関わらず開いているので冷媒が流れ、室内熱交換器７ｄの管温度Ｔ１７ｄは大きく低下するため温度差ΔＴｄは所定値βより大きい値となり、手順Ｓ４５で異常と判定され、異常室内機として室内機Ｙｄを記憶する。
【００４３】
次に、室外機制御手段１４は、異常停止室内機の台数が１台以上あるか否かを判断し（Ｓ５）、異常停止室内機が１台以上のとき、配線認識入替パターン抽出（Ｓ６）を実施する。尚、異常停止室内機がない場合は、誤配線接続以外の異常が発生していると判断し、室外機の制御基板上のＬＥＤやリモコン表示盤に異常を報知する（Ｓ１２）。手順Ｓ６の詳細手順を図７に示す。室外機制御手段１４が記憶している異常運転室内機の室内機Ｙｂと異常停止室内機の室内機Ｙｃ、Ｙｄを抽出し（Ｓ６１）、運転室内機と停止室内機の全組合せパターンを抽出する。ここでは室内機Ｙｂと室内機Ｙｃ、室内機Ｙｂと室内機Ｙｄの２組あり、前者を１、後者を２と番号付ける（Ｓ６２）。
【００４４】
次に、組合せパターンの番号順に室外機制御手段１４における配線認識を入替える（Ｓ７）。手順Ｓ７の詳細手順を図８に示す。組合せ番号１の室内機Ｙｂと室内機Ｙｃの配線接続認識入替について説明する。まず、室外機制御手段１４は、室外機制御手段１４の配線接続口ｂに接続されている配線の先には室内機Ｙｃが接続されているものと認識し、配線接続口ｃに接続されている配線の先には室内機Ｙｂが接続されているものと認識する（Ｓ７１）。次に、室外機制御手段１４は、配線認識の入替えを行った配線接続口への室内機の運転指令の有無を確認し、運転指令が有る場合は当該室内機の膨張弁６を所定開度開け、運転指令がない場合は当該室内機の膨張弁６を全閉にする。ここで、配線接続口ｂに接続されている配線１８ｂから室内機Ｙｂの運転指令が来ているので、膨張弁６ｃを所定開度開け、配線接続口ｃに接続されている配線１８ｃからは運転指令が来ていないので、膨張弁６ｂを全閉にする制御を行う（Ｓ７２）。
【００４５】
次に所定時間が経過したとき（Ｓ８）、室外機制御手段１４の配線接続口ｂに接続され、運転指令を送信していると認識した室内機Ｙｃの異常再判定を行なう（Ｓ９）。手順Ｓ９の詳細手順を図５に示す。ここで、配線認識の入替えにより、受信した吸込空気温度Ｔ１６ｂ及び室内熱交換器７ｂの管温度Ｔ１７ｂの温度データを、室内機Ｙｃの温度データと認識し、温度差ΔＴｃを演算する。冷房運転時の演算式はΔＴｃ＝Ｔ１６ｂ−Ｔ１７ｂ、暖房運転時の演算式はΔＴｃ＝Ｔ１７ｂ−Ｔ１６ｂとする（Ｓ３３）。演算した温度差ΔＴｃと所定値αとを比較し（Ｓ３４）、所定値αより大きければ正常（Ｓ３５）、小さければ異常（Ｓ３６）と判定する。
【００４６】
このとき、室内ファン８ｂにより送風されている室内熱交換器７ｂに連通する膨張弁６ｂは全閉状態なので室内熱交換器７ｂに冷媒が流通しないため、室内熱交換器７ｂ内の滞留冷媒はすぐに蒸発して室内熱交換器７ｂの管温度Ｔ１７ｂは吸込空気温度Ｔ１６ｂとほぼ同等温度になる。よって温度差ΔＴｃは所定値αより小さい値となり、手順Ｓ３４で異常と判断する。
【００４７】
手順Ｓ９で異常と判定した場合、運転室内機Ｙｂと停止室内機Ｙｃの配線認識の入替えの組み合わせが適正ではなかったと判断し、別の室内機の組合せで配線認識の入替えを行うため図３の制御手順Ｓ７に戻る（Ｓ１０）。組合せ番号２は室内機Ｙｂと室内機Ｙｄであり、室内機Ｙｄの室内熱交換器７ｄに連通する膨張弁６ｄは膨張弁６ｃと同様に異物をかみ込み全閉にできないので、上述の組合せ番号１での動作と同様に配線認識の入替えの組み合わせが適正ではなかったと判断し、且つ、全ての室内機の組合せで適正ではないと判定し（Ｓ１０）、そして配線認識は異常検出制御をはじめる前の初期状態に戻し（Ｓ１１）、誤配線接続以外の異常が発生していることを、室外機の制御基板上のＬＥＤやリモコン表示盤に異常を報知する（Ｓ１２）。
【００４８】
尚、本実施の形態１では異常検知制御の開始タイミングとして室内機の起動を取り上げたが、通常運転中に開始しても良いことは言うまでもない。また、誤配線接続の組合せのうち、異常な運転室内機の台数を１台として説明したが、組合せパターンを再判定で抽出する動作手順であるので異常な運転室内機の台数が複数台でも良いことは言うまでもない。また暖房運転でも良いことも言うまでもない。
【００４９】
以上のように本実施の形態１においては、室内機制御手段１５が、当該室内機Ｙの運転指令を室外機制御手段１４に送信し、室外機制御手段１４が、運転指令を受信した配線１８に対応する室内機Ｙの冷媒回路の冷媒循環を制御し、受信した室内機Ｙの運転指令と、冷媒循環を制御した室内機Ｙの冷媒回路とが一致しないとき、室外機制御手段１４と室内機制御手段１５とが接続された配線１８と、冷媒循環を制御する室内機Ｙの冷媒回路との対応付けを変更し、受信した室内機Ｙの運転指令と、冷媒循環を制御する室内機Ｙの冷媒回路とを一致させることにより、配線の接続を変更することなく誤配線接続を解消することができる。
【００５０】
また、室外機制御手段１４は、受信した室内機Ｙの運転指令と、冷媒循環を制御する室内機Ｙの冷媒回路とが複数一致しないとき、室内機制御手段１５と接続される配線１８と、室外機制御手段１４が制御する冷媒回路との対応付けをそれぞれ変更することにより、複数の誤配線接続が存在する場合においても誤配線接続を解消することができる。
【００５１】
また、室外機制御手段１４は、吸入空気温度Ｔ１６と室内熱交換器７の管温度Ｔ１７との温度差ΔＴを演算し、演算した温度差ΔＴと受信した室内機Ｙの運転指令に基づき室内機Ｙが異常か否かを判定し、室内機Ｙが異常と判定したとき、室内機制御手段１５より受信した室内機Ｙの運転指令と、室外機制御手段１４が冷媒循環を制御する室内機Ｙの冷媒回路とが一致しないものとして、異常と判定した室内機Ｙの室内機制御手段１５と接続される配線１８と、室外機制御手段１４が制御する冷媒回路との対応付けを変更することにより、誤配線接続の組み合わせを検出し、再配線工事無しで誤配線接続状態を解消することができる。
【００５２】
また、室外機制御手段１４は、運転室内機Ｙの吸入空気温度Ｔ１６と室内熱交換器７の管温度Ｔ１７との温度差ΔＴを演算し、演算した温度差が所定値αの範囲内で有るか否かにより異常運転か否かを判定し、停止室内機の吸入空気温度Ｔ１６と室内熱交換器７の管温度Ｔ１７との温度差ΔＴを演算し、演算した温度差が所定値βの範囲内で有るか否かにより異常状態か否かを判定し、異常と判定した運転室内機Ｙの室内機制御手段１５の配線１８と、異常と判定した停止室内機Ｙの室内機制御手段１５との配線１８とを入替えて認識することにより、誤った配線接続を行った場合に、冷房、暖房、除湿運転の何れの運転時においても誤配線接続の組み合わせを検出し、再配線工事無しで誤配線接続状態を解消することができる。
【００５３】
また、室外機制御手段１４は、複数の室内機Ｙを異常と判定したとき、異常と判定した運転室内機Ｙと、異常と判定した停止室内機Ｙとの組合せのパターンを抽出し、組合せのパターンに従い、異常と判定した運転室内機Ｙの室内機制御手段１５の配線１８と、異常と判定した停止室内機Ｙの室内機制御手段１５との配線１８とを入替えて認識し、配線の認識を入替えた室内機Ｙの吸入空気温度Ｔ１６と室内熱交換器７の管温度Ｔ１７との温度差ΔＴを演算し、演算された温度差ΔＴが所定値αの範囲内で有るか否かにより異常運転か否かを判定し、異常と判定した場合は、組合せのパターンのうちの他の組合せにより、配線接続の認識入替えを行うので、複数の誤配線接続が存在しても誤配線接続を検知し、再配線工事無しで誤配線接続状態を解消することができる。
【００５４】
また、室外機制御手段１４は、組合せのパターンのすべての組合せにより配線接続の認識の入替えを行った後、室内機Ｙの吸入空気温度Ｔ１６と室内熱交換器７の管温度Ｔ１７との温度差ΔＴを演算し、演算された温度差ΔＴが所定値αの範囲内で有るか否かにより異常運転か否かを判定し、異常と判定したとき、異常信号を出力するので、誤配線接続以外の異常を検出することができる。また、誤配線接続を異常要因候補から外せるため、修理担当者の業務負荷を減らすことができる。
【００５５】
また、室外機制御手段１４は、運転室内機Ｙの吸入空気温度Ｔ１６と室内熱交換器７の管温度Ｔ１７との温度差ΔＴを演算し、演算された温度差ΔＴが所定値αの範囲内で有るか否かにより異常運転か否かを判定し、正常と判定したとき、異常判定を終了するので、停止室内機の調査を行わなくてよいため誤配線接続や異常検知に要する時間を短縮できる。
【００５６】
実施の形態２．
図１０は本発明の実施の形態２における誤配線接続のある冷媒回路を示す図である。本実施の形態２におけるマルチ形空気調和装置は、上記実施の形態１の構成に加え、各室内機Ｙの冷媒回路の冷媒配管であるガス配管１２は、導電性材質で構成され、ガス配管１２と室内機制御手段１５とを接続する配線２７、ガス配管１２と室外機制御手段１４とを接続する配線２８により構成されている。尚、本実施の形態２における、冷房運転又は暖房運転する場合の動作は上記実施の形態１と同様である。
次に、誤配線接続の有無を調査し、誤配線接続がある場合は自動検知、修正する動作について説明する。
【００５７】
図１０において、配線１８ｂは一端を室内機Ｙｂの室内機制御手段１５ｂに、他端を室外機制御手段１４の室内機Ｙｄ用接続口に接続され、配線１８ｄは一端を室内機Ｙｄの室内機制御手段１５ｄに、他端を室外機制御手段１４の室内機Ｙｂ用接続口に接続された状態とする。また、室内機Ｙａは正常に冷房運転し、室内機ＹｃとＹｄは停止状態とし、この状態で室内機Ｙｂの運転を開始するときの制御手順を図１１にもとづいて説明する。
【００５８】
図１１は本発明の実施の形態２における誤配線接続検知制御手順を示す図である。室内機Ｙｂのリモコン１３ｂにより冷房モードを選択し運転開始操作を行ったとき、室内機Ｙｂの室内機制御手段１５ｂは配線２７ｂを介し、ガス配管１２ｂに微弱電流の接続確認信号を発信する（ＳＳ１）。室内機制御手段１５は、ガス配管１２ｂ及び配線２８ｂを介して、接続確認信号（Ｓｉｇ１）を受信し、送信元が室内機Ｙｂであると認識する（ＳＳ２）。一方、室内機制御手段１５ｂは配線１８ｂを介して室外機制御手段１４に接続確認信号をする送信するが、配線１８ｂは室外機制御手段１４の室内機Ｙｄ用の接続口に接続されているので、室外機制御手段１４は室内機Ｙｄから接続確認信号（Ｓｉｇ２）を受信したと認識する（ＳＳ３）。
【００５９】
手順ＳＳ４により、手順ＳＳ２及びＳＳ３で接続確認信号の送信元であると認識した室内機を比較し（ＳＳ４）、同一の場合は誤配線検知制御を終了する。異なる場合は、手順ＳＳ３で接続信号（Ｓｉｇ２）を受信した配線を、手順ＳＳ２で送信元であると認識した室内機Ｙｂと一致するよう、室外機制御手段１４における配線認識を入替える（Ｓ７）。ここでは、室外機制御手段１４の配線接続口ｄに接続されている配線の先には室内機Ｙｂが接続されていると認識し、配線接続口ｂに接続されている配線の先には室内機Ｙｄが接続されていると認識する。
【００６０】
以上のように本実施の形態２においては、室内機制御手段１５は、接続確認信号を室外機制御手段１４との間の配線１８を介し送信すると共に、室内機の冷媒回路のガス配管１２を介し、室外機制御手段１４に送信し、室外機制御手段１４は、ガス配管１２を介し受信した接続確認信号（Ｓｉｇ１）と室内機制御手段１５との間の配線１８を介し受信した接続確認信号（Ｓｉｇ２）とが異なるとき、室内機制御手段１５との間の配線１８を介し接続確認信号（Ｓｉｇ１）を受信した配線１８に対応する室内機Ｙの認識を、ガス配管１２を介し前記接続確認信号（Ｓｉｇ２）を受信した室内機Ｙと一致させることにより、誤配線接続を検出し自動修正することができる。また、運転、停止状態に関わらず誤配線接続の検知と修正を自動で行うことができる。
【００６１】
尚、本実施の形態２の誤配線検知修正制御は空調運転をしなくても可能である。また、室内機Ｙ、室外機Ｘに電源を投入した場合に行っても良い。また、空調運転中に定期的に行っても良い。本実施例では誤配線接続の組合せのうち、異常な運転室内機の台数を１台として取り上げたが、異常な運転室内機の台数が複数台でも良い。また、運転モードの種類は問わない。
【００６２】
尚、上記実施の形態１及び実施の形態２では、マルチ形空気調和装置の動作について説明したが、本発明はこれに限らず、上記マルチ形空気調和装置を備え冷凍運転する冷凍装置においても適用される。
【図面の簡単な説明】
【００６３】
【図１】本発明の実施の形態１におけるマルチ形空気調和装置の構成を示す図である。
【図２】本発明の実施の形態１における室内機の構成を示す図である。
【図３】本発明の実施の形態１における異常検知制御手順を示す図である。
【図４】本発明の実施の形態１における異常検知制御Ｓ１の詳細手順を示す図である。
【図５】本発明の実施の形態１における異常検知制御Ｓ３及びＳ９の詳細手順を示す図である。
【図６】本発明の実施の形態１における異常検知制御Ｓ４の詳細手順を示す図である。
【図７】本発明の実施の形態１における異常検知制御Ｓ６の詳細手順を示す図である。
【図８】本発明の実施の形態１における異常検知制御Ｓ７の詳細手順を示す図である。
【図９】本発明の実施の形態１における誤配線接続のある冷媒回路を示す図である。
【図１０】本発明の実施の形態２における誤配線接続のある冷媒回路を示す図である。
【図１１】本発明の実施の形態２における誤配線接続検知制御手順を示す図である。
【符号の説明】
【００６４】
１  圧縮機、２  四方弁、３  室外熱交換器、４  室外ファン、５  室外ファンモータ、６  膨張弁、７  室内熱交換器、８  室内ファン、９  室内ファンモータ、１０  液溜、１１  液配管、１２  ガス配管、１３  リモコン、１４  室外機制御手段、１５  室内機制御手段、１６  吸込空気温度検出手段、１７  熱交換器温度検出手段、１８  配線、１９  配線、２０  配線、２１  配線、２２  配線、２３  配線、２４  配線、２５  配線、２６  配線、２７  配線、２８  配線、１６  吸入空気温度、１７  室内熱交換器７の管温度、Ｘ  室外機、Ｙ  室内機。
【図１】
2007218512.tif 000003
【図２】
2007218512.tif 000004
【図３】
2007218512.tif 000005
【図４】
2007218512.tif 000006
【図５】
2007218512.tif 000007
【図６】
2007218512.tif 000008
【図７】
2007218512.tif 000009
【図８】
2007218512.tif 000010
【図９】
2007218512.tif 000011
【図１０】
2007218512.tif 000012
【図１１】
2007218512.tif 000013